(57)【特許請求の範囲】
【請求項１】
ケーブルを覆う複数の抱持筒を、索条をもって連結することにより、屈曲可能とした可撓性ケーブルダクトの取付装置であって、
索条の端部に、回転操作用の鍔部と、雄ねじ部とを有する連結具を、前記雄ねじ部が索条の延長線上に位置するように、回転自在に連結したことを特徴とする可撓性ケーブルダクトの取付装置。
【請求項２】
索条の両端に連結具を連結し、一方の連結具の雄ねじ部を、机の天板等の下面に設けたねじ孔に螺合し、かつ他方の連結具の雄ねじ部を、床面または床面上に配設した部材に設けたねじ孔に螺合した請求項１記載の可撓性ケーブルダクトの取付装置。
【請求項３】
机の天板等の下面に他部材を取付ける上向きの取付ねじの頭部の下端面にねじ孔を設け、このねじ孔に連結具の雄ねじ部を螺合した請求項１または２記載の可撓性ケーブルダクトの取付装置。
【請求項４】
抱持筒を、索条が挿通するようにした軸筒より側方に延出する仕切片の先端部に、内向きに湾曲する抱持片を連設したものとした請求項１〜３のいずれかに記載の可撓性ケーブルダクトの取付装置。
【発明の詳細な説明】
【０００１】
【発明の属する技術分野】
本発明は、電源と電気機器、あるいは電気機器同士を連結する多数のケーブルを、結束して配線する際に使用する可撓性ケーブルダクトの端部を、例えば机の天板や配線ダクト等に取り付ける装置に関する。
【０００２】
【従来の技術】
給電用や信号伝達用の多数のケーブルは、周囲の邪魔にならずに体裁よく、またケーブルが損傷しないように、しばしば可撓性のビニールパイプ等に封入して配線される。
【０００３】
しかしこの手段によると、ビニールパイプの端部よりケーブルを挿入するので、作業が面倒であり、特にケーブルが多数でダクトが長尺の場合、作業が困難である。
【０００４】
本出願人は、上述の問題を解消した図８〜図１０に示すものと同様の可撓性ケーブルダクトを、特願平８−６３２８号として特許出願している。
【０００５】
図８に示すように、机（１）の天板（２）の上面に設置した複数の電気機器（３）には、天板（２）の下面に設けた配線ダクト（４）よりケーブル（５）が配線され、配線ダクト（４）には、床面の配線口（図示略）を覆う配線カバー（６）より可撓性のケーブルダクト（７）を通ってきたケーブル（５）が配線されている。
【０００６】
図９に示すように、ケーブルダクト（７）を形成する合成樹脂製の多数の抱持筒（８）の方形板状の仕切片（９）の中央には、軸筒（１０）が形成され、仕切片（９）の両側端には、反対側の側端近くまで、円弧状に内向湾曲する抱持片（１１）が連接されている。
【０００７】
抱持片（１１）の中央部には、軸筒（１０）と平行をなす可撓溝（１２）が設けられており、また、抱持片（１１）の遊端と仕切片（９）の側端との間には、挿入溝（１３）が形成されている。
【０００８】
多数の抱持筒（８）は、その軸筒（１０）同士の間に、軸筒（１０）とほぼ等径の球状スペーサ（１４）を挟んで並び、各軸筒（９）とスペーサ（１４）の中央に設けた挿通孔（１５）には、索条（１６）が挿通されている。
【０００９】
索条（１６）の一方の端末に止着した円柱状のエンド部材（１６ａ）は、天板（２）の下面に垂設した横向コ字形の吊支具（１７）に係止され、索条（１６）の他方の端末に止着したエンド部材（図示略）は、床の配線口（図示略）を覆う配線キャップ（６）に係止されている。
【００１０】
複数のケーブル（５）は、各挿入溝（１３）を若干弾性拡開させて挿入した後、各抱持筒（８）を順次軸線回りに、同方向に若干回動させることにより、軸筒（１０）に軽く巻き付いて収容され、上端の抱持筒（８）より、天板（２）下面の配線ダクト（４）に配線されている。
【００１１】
【発明が解決しようとする課題】
上述のケーブルダクト（７）は、各抱持筒（８）内に多数のケーブル（５）を容易に挿入することができ、挿入したケーブル（５）は軸筒（１０）に軽く巻き付いているので、脱出する恐れはなく、またダクト（７）は自由な方向に容易に湾曲させうるので、便利であるが、索条（１６）を取り付ける横向きコ字形の吊支具（１７）が天板（２）の下面に設けてあるので、ケーブル（５）の着脱が若干困難であり、また机の外観を損ねる。
【００１２】
本発明は、上記ケーブルダクト（７）の利点を損なうことなく、上記のような問題点を解決した構造が簡単で、かつ取付け作業の容易なケーブルダクトの取付装置を提供することを目的としている。
【００１３】
【課題を解決するための手段】
本発明によると、上記課題は次のようにして解決される。
（１）ケーブルを覆う複数の抱持筒を、索条をもって連結することにより、屈曲可能とした可撓性ケーブルダクトの取付装置であって、索条の端部に、回転操作用の鍔部と、雄ねじ部とを有する連結具を、前記雄ねじ部が索条の延長線上に位置するように、回転自在に連結する。
【００１４】
（２）上記（１）項において、索条の両端に連結具を連結し、一方の連結具の雄ねじ部を、机の天板等の下面に設けたねじ孔に螺合し、かつ他方の連結具の雄ねじ部を、床面または床面上に配設した部材に設けたねじ孔に螺合する。
【００１５】
（３）上記（１）または（２）項において、机の天板等の下面に他部材を取付ける上向きの取付ねじの頭部の下端面にねじ孔を設け、このねじ孔に連結具の雄ねじ部を螺合する。
【００１６】
（４）上記（１）〜（３）項のいずれかにおいて、抱持筒を、索条が挿通するようにした軸筒より側方に延出する仕切片の先端部に、内向きに湾曲する抱持片を連設したものとする。
【００１７】
【発明の実施の形態】
図１〜図３は、本発明の第１実施例を示すもので、上述と同様の各部材には、同一符号を付して説明を省略する。
【００１８】
上述同様のケーブルダクト（７）の直上には、これを天板（２）に取り付ける、図２と図３に示すような連結具（１８）が取り付けられている。
【００１９】
連結具（１８）は、回転操作用の鍔部（１８ａ）と、雄ねじ部（１８ｂ）とを有し、雄ねじ部（１８ｂ）が索条（１６）の延長線上に位置するように、索条（１６）の両端部に回転自在に連結されている。
【００２０】
本実施例においては、鍔部（１８ａ）は、外周面に軸線と平行をなす多数の滑り止め用の突条（１９）が形成され、かつ中央に、小径孔（２０）と大径孔（２１）と六角孔（２２）とが連続して穿設された円筒体（２３）により形成されている。
【００２１】
この円筒体（２３）の大径孔（２１）に、索条（１６）の端末に止着したほぼ球状のエンド部材（１６ａ）が嵌合するようにして、索条（１６）を小径孔（２０）に挿通させ、かつ六角孔（２２）にボルト（２３）の頭部（２３ａ）を嵌合して固着することにより、ボルト（２３）の雄ねじ部が連結具（１８）の雄ねじ部（１８ｂ）となるようにして、連結具（１８）が形成されている。
【００２２】
連結具（１８）の雄ねじ部（１８ｂ）を、天板（２）の下面に設けたねじ孔（２４）に螺合することにより、ケーブルダクト（７）は天板（２）の下面に吊支され、最上段の抱持筒（８）の上端より引き出されたケーブル（５）は、配線ダクト（４）に送り込まれている。
【００２３】
ケーブルダクト（７）の下端には、上述の連結具（１８）と同様の連結具（図示略）が設けられ、その雄ねじ部（１８）に相当するものを、床面または床面上に配設した配線カバー（図８参照）やアンカー等に穿設したねじ孔（図示略）に螺合することにより、ケーブルダクト（７）の下端は床面に止着されている。
【００２４】
ケーブルダクト（７）における最下段の抱持筒（８）の下端より出たケーブル（５）は、床面に設けた配線口より床下に引き込まれるか、または配線口により引き出した他のケーブルと適宜接続される。
【００２５】
図４〜図６は、本発明の第２実施例を示すもので、上述と同様の各部材には、同一符号を付して説明を省略する。
【００２６】
第２実施例においては、天板（２）の下面に穿設したねじ孔（２４）に、配線ダクト（４）のフランジ（４ａ）を固定する取付ねじ（２５）の上向きの雄ねじ部（２５ａ）を螺合し、この取付ねじ（２５）の頭部（２５ｂ）の下面中央に穿設したねじ孔（２６）に、上記と同様の連結具（１８）の雄ねじ部（１８ｂ）を螺合することにより、天板（２）の下面に、多数のねじ孔（２４）を穿設することなく、配線ダクト（４）とケーブルダクト（７）とを取付けることができるようにしている。
【００２７】
取付ねじ（２５）の頭部（２５ｂ）は、蝶ねじ状とし、これによって天板（２）への取付ねじ（２５）の締め込みを容易とするとともに、この蝶形の頭部を一方の手で回り止めした状態で、連結具（１８）を取付ねじ（２５）に容易に着脱しうるようにしてある。
【００２８】
上述の実施例においては、抱持筒（８）を、索条（１６）が挿通するようにした軸筒（１０）より側方に延出する仕切片（９）の先端部に、内向きに湾曲する抱持片（１１）を連設したものとしたが、例えば、抱持片（１１）を内向きコ字状、またはＶ字状としたり、図７に示すように、索条（１６）が挿通するようにした軸筒（１０）より両側方に延出する仕切片（９）の先端部に、同一側方に向かって延出する互いに内向きのＬ字状の抱持片（１１）を連設したものとする等、幾多の変形が可能である。
【００２９】
【発明の効果】
本発明によると、次のような効果を奏することができる。
（ａ）請求項１記載の装置によると、連結具の鍔部を回動操作することにより、簡単かつ確実にケーブルダクトを机の天板等に着脱することができ、しかも、連結具の鍔部の回動操作時に、ケーブルダクトがつれ回されることがないので、抱持筒により抱持されたケーブルが捻れて断線等の不具合を生じることがない。
【００３０】
（ｂ）請求項２記載の装置によると、ケーブルダクトの両端を、机の天板側と床側とに、それぞれ簡単に取付け、取り外すことができる。
【００３１】
（ｃ）請求項３記載の装置によると、机の天板等の下面に多数のねじ孔を穿設する必要がなく、また可撓性ケーブルダクトを、常に配線ダクト等の天板下面に取付けられる部材と組合せて使用することができる。
【図面の簡単な説明】
【図１】本発明の第１実施例を備えた机の要部の中央縦断面図である。
【図２】連結具の拡大正面図である。
【図３】同じく拡大縦断正面図である。
【図４】本発明の第２実施例を備えた机の要部の中央縦断面図である。
【図５】取付ねじの拡大斜視図である。
【図６】図５のＡ−Ａ線断面図である。
【図７】抱持筒の変形例を示す斜視図である。
【図８】従来のケーブルダクトを使用した机の正面図である。
【図９】同じく、図８の要部の拡大正面図である。
【図１０】同じく、ケーブルダクトの抱持筒とスペーサとの拡大斜視図である。
【符号の説明】
（１）机
（２）天板
（３）電気機器
（４）配線ダクト
（４ａ）フランジ
（５）ケーブル
（６）配線カバー
（７）ケーブルダクト
（８）抱持筒
（９）仕切片
（１０）軸筒
（１１）抱持片
（１２）可撓溝
（１３）挿入溝
（１４）スペーサ
（１５）挿通孔
（１６）索条
（１６ａ）エンド部材
（１７）吊支具
（１８）連結具
（１８ａ）鍔部
（１８ｂ）雄ねじ部
（１９）突条
（２０）小径孔
（２１）大径孔
（２２）六角孔
（２３）ボルト
（２３ａ）頭部
（２４）ねじ孔
（２５）取付ねじ
（２５ａ）雄ねじ部
（２５ｂ）頭部
（２６）ねじ孔
【図１】
0003629647.tif 000002
【図２】
0003629647.tif 000003
【図３】
0003629647.tif 000004
【図４】
0003629647.tif 000005
【図５】
0003629647.tif 000006
【図６】
0003629647.tif 000007
【図７】
0003629647.tif 000008
【図８】
0003629647.tif 000009
【図９】
0003629647.tif 000010
【図１０】
0003629647.tif 000011